(57)【特許請求の範囲】
【請求項１】
前面枠の裏面側に取り付けられて遊技盤を収納可能な遊技盤収納空部を有する遊技盤収納フレームと、前面枠の前面側に開閉可能な状態で取り付けられた前面カバー部材とを備えた遊技機において、
前記遊技盤収納フレームは、一方の側壁に取り付けられ、前記遊技盤収納空部に収納された遊技盤の一側部を係止可能な遊技盤係止手段と、他方の側壁に設けられ、前記遊技盤収納空部内の遊技盤を固定する遊技盤固定手段とを有し、
前記前面カバー部材は、遊技盤の遊技領域を視認できる開口部を開設した枠体と、該枠体の裏面に取り付けられ、透明部材を保持する透明部材保持枠とから構成され、
前記遊技盤係止手段は、先端部分が遊技盤前面に前方から当接するように延出されて遊技盤を後方側へ押し付け可能な弾性を有する係合片部を含み、
前記係合片部は、前記遊技盤収納フレームに取り付けられるベース部の前端から遊技盤収納フレームの他方の側壁側に向かって屈曲して延出させた係合腕部と、該係合腕部の先端から後方に屈曲して遊技盤前面に前方から当接するまで延出させた係合端部とを備え、
前記前面カバー部材の軸着部分を前記遊技盤係止手段の取り付け側に設け、前記透明部材保持枠の前記軸着部分側の背面には、後方に向けて補助係合部を突設し、
前記補助係合部は、前記前面カバー部材の閉止状態で前記係合片部の係合腕部に向けて突出し、その突出先端を、前記係合腕部が前方に撓んだ際に該係合腕部に当接して係合腕部の撓みを規制可能な位置に配置したことを特徴とする遊技機。
【発明の詳細な説明】
【０００１】
【発明の属する技術分野】
本発明は、パチンコ遊技機やアレンジボール遊技機等の遊技盤を備えた遊技機に関し、特に、遊技盤の固定構造に関するものである。
【０００２】
【従来の技術】
従来の技術を代表的な遊技機であるパチンコ遊技機を例に挙げて説明する。
このパチンコ遊技機は、機枠に開閉可能に取り付けられた前面枠を備えており、前面枠の裏面側には遊技盤収納空部を有する遊技盤収納フレームを止着し、遊技盤収納空部に遊技盤を収納して固定する。
遊技盤収納空部内に収納された遊技盤の一側部は、遊技盤収納フレームに取り付けられた遊技盤係合金具により係止される。この係合金具は、例えば、先端部分が遊技盤前面に前方から当接するように配置された弾性を有するＬ字状係合片部を備えている。そして、この係合片部の弾性により、遊技盤収納空部に収納された遊技盤を後方側へ押し付けている。
【０００３】
【発明が解決しようとする課題】
ところで、近年、ＬＣＤ（液晶表示装置）やＣＲＴ（ブラウン管）等の表示装置を搭載した遊技機が人気を集めている。このような表示装置は、遊技盤に取り付けられているため、遊技盤の重量は重くなる傾向にある。特に、最近の遊技機には１０インチ程度の大型の表示装置を用いたものもあり、このような表示装置を搭載した遊技盤はかなり重くなっている。さらに、遊技盤の交換時に一緒に交換される制御装置等を、遊技盤の背面に取り付けるようにしたものも開発されており、このような遊技盤は、重量がより一層重くなる。
【０００４】
このパチンコ遊技機は、工場内の移送時、工場から遊技店への出荷時、及び遊技店における設置時等において、遊技盤を取り付けた状態で搬送される。このため、パチンコ遊技機を運んでいる最中に前方に傾倒してしまうと、遊技盤等の重みが遊技盤係合金具の係合片部に加わってしまう。この遊技盤は、表示装置等のために重くなっており、加わった重みにより係合片部が遊技機前方側に撓んでしまうことがある。
【０００５】
この加わった重みが過度であったり、また、長時間に亘って重みが加えられてしまった場合には、係合片部が塑性変形してしまう虞がある。そして、係合片部が塑性変形してしまうと、収納された遊技盤を係合片部によって後方側に押し付けることができなくなり、遊技盤が遊技盤収納空部内で大きくがたついてしまう。
このように遊技盤のがたつきが大きくなると、遊技に支障を来す可能性がある。例えば、発射された遊技球を遊技盤上に誘導できなくなったり、遊技盤表面に植設された障害釘の先端と前面ガラスとの隙間が少なくなって球詰まりが起こったりする可能性がある。そして、遊技球を遊技盤上に誘導できなくなったり、球詰まりが起こったりすると遊技が行えなくなり、遊技者に多大な迷惑をかけてしまう。
【０００６】
本発明は、このような問題点を解消するためになされたものであり、重量の重い遊技盤であっても確実に固定できる遊技機を提供することを目的とする。
【０００７】
【課題を解決するための手段】
本発明は、前記目的を達成するために提案されたものであり、請求項１に記載のものは、前面枠の裏面側に取り付けられて遊技盤を収納可能な遊技盤収納空部を有する遊技盤収納フレームと、前面枠の前面側に開閉可能な状態で取り付けられた前面カバー部材とを備えた遊技機において、
前記遊技盤収納フレームは、一方の側壁に取り付けられ、前記遊技盤収納空部に収納された遊技盤の一側部を係止可能な遊技盤係止手段と、他方の側壁に設けられ、前記遊技盤収納空部内の遊技盤を固定する遊技盤固定手段とを有し、
前記前面カバー部材は、遊技盤の遊技領域を視認できる開口部を開設した枠体と、該枠体の裏面に取り付けられ、透明部材を保持する透明部材保持枠とから構成され、
前記遊技盤係止手段は、先端部分が遊技盤前面に前方から当接するように延出されて遊技盤を後方側へ押し付け可能な弾性を有する係合片部を含み、
前記係合片部は、前記遊技盤収納フレームに取り付けられるベース部の前端から遊技盤収納フレームの他方の側壁側に向かって屈曲して延出させた係合腕部と、該係合腕部の先端から後方に屈曲して遊技盤前面に前方から当接するまで延出させた係合端部とを備え、
前記前面カバー部材の軸着部分を前記遊技盤係止手段の取り付け側に設け、前記透明部材保持枠の前記軸着部分側の背面には、後方に向けて補助係合部を突設し、
前記補助係合部は、前記前面カバー部材の閉止状態で前記係合片部の係合腕部に向けて突出し、その突出先端を、前記係合腕部が前方に撓んだ際に該係合腕部に当接して係合腕部の撓みを規制可能な位置に配置したことを特徴とする遊技機である。
【０００８】
【発明の実施の形態】
以下、本発明の実施の形態を図面を参照して説明する。
図１は代表的な遊技機であるパチンコ遊技機１の正面図、図２は前面枠２と前面カバー部材３と開閉パネル４を開いた状態におけるパチンコ機本体５の斜視図、図３は遊技盤収納空部６を説明する分解斜視図である。
【０００９】
図１及び図２に示すように、パチンコ遊技機１は、パチンコ機本体５と、遊技カードに記憶された情報の読み書き等を行うカードユニット７とから概略構成してある。パチンコ機本体５は、機枠１０により囲われ、この機枠１０に、開口部を有する額縁状の前面枠２を開閉可能に取り付けてある。前面枠２の背面には、図３に示す遊技盤収納フレーム１１を、前面枠２の開口部を後方から塞ぐ様にして後方から止着する。この遊技盤収納フレーム１１の下部にはフレームボード１２を取り付けてあり、このフレームボード１２により、遊技盤収納フレーム１１の遊技盤収納空部６の下縁部分を区画する。そして、フレームボード１２の上面の遊技盤載置部１２ａに遊技盤１３の下部を載置した状態で、遊技盤収納空部６内に遊技盤１３を収納し固定する。
また、遊技盤収納フレーム１１の裏側には裏機構盤１４を開閉可能な状態で取り付ける。この裏機構盤１４には、パチンコ遊技で使用する遊技球を一時貯留する球タンク、遊技球の球流下路を形成する球導出樋及び球排出ユニット、各種の制御装置等が取り付けられる。
【００１０】
一方、前面枠２の前面には、前面枠２の開口部を前方から塞ぐようにして透明な前面ガラス１５（透明部材の一種）を保持した前面カバー部材３を開閉可能に取り付けてある。この前面カバー部材３の一側部である左縁上部及び左縁下部には、支軸８，８を設けてある。この支軸８，８は、前面枠２の前面左縁部に取り付けられた軸受金具（図示せず）に軸着されている。そして、前面カバー部材３は、この支軸８，８を中心に略水平方向に回動して開閉される。また、前面カバー部材３の他側部である右縁部（自由端部）の裏面側にはロック機構（図示せず）を設けてあり、前面カバー部材３を閉じた閉止状態においては、ロック機構によりロックされて閉止状態が維持される。
【００１１】
この前面カバー部材３の下方には、前面に上皿１６を形成した開閉パネル４を開閉可能に取り付けてある。さらに、この開閉パネル４の下方に下皿１７を、その左側に灰皿１８を、右側に発射操作部１９をそれぞれ設けてある。
【００１２】
上記した遊技盤収納フレーム１１は、図３に示すように、左側壁部１１ａ、右側壁部１１ｂ、背面部１１ｃを少なくとも有し、前方が開放した浅い金属板製の箱状あるいはフレーム状の部材である。本実施形態では、遊技盤収納フレーム１１の背面部１１ｃに大きな開口を開設してあり、遊技盤１３の背面側に後向きに突出した画像表示装置２９やその制御部（後述）を通せるようにしてある。
【００１３】
この遊技盤収納フレーム１１の一方の側壁である左側壁部１１ａの上部及び下部には、本願発明における遊技盤係止手段として機能する遊技盤係合金具２１を取り付けてある。この遊技盤係合金具２１は、遊技盤収納空部６に収納された遊技盤１３の左側部（後述する上側係合受部３６及び下側係合受部３８）に係合して当該部分を後方に押し付ける部材、要するに、遊技盤１３の一側部を係止する部材である。
そして、本実施形態における遊技盤係合金具２１は、係合片部２１ａと位置決め片部２１ｂとを含んで構成してある。
【００１４】
係合片部２１ａは、遊技盤１３の前面左側部に前方から当接して係合し、弾性により当該部分を後方側へ押し付けるための部分である。具体的には、図３中に拡大して示すように、遊技盤収納フレーム１１に取り付けられるベース部２１ｃの前端から右側壁部１１ｂ（他方の側壁）側に向かって屈曲して延出させた係合腕部２１ｄと、この係合腕部２１ｄの先端から後方に屈曲して延出させた係合端部２１ｅとを備え、弾性を有する略Ｌ字状の金属製板状部分によって構成してある。
【００１５】
位置決め片部２１ｂは、遊技盤収納空部６に収納された遊技盤１３の左右方向（横方向）の位置を規定するための部分であり、ベース部２１ｃから右方向（他側方向）に延出させた板状部分である。本実施形態における位置決め片部２１ｂは、図３中に拡大して示すように、上方から見て略台形状に形成してあり、その右縁部２１ｆが遊技盤１３の左側面と当接する当接縁として機能する。
なお、本実施形態における遊技盤係合金具２１は、厚さ２ｍｍ程度の鋼板によって構成してある。
【００１６】
また、遊技盤収納フレーム１１の他方の側壁である右側壁部１１ｂの上部及び下部には、遊技盤固定金具２２を設ける。この遊技盤固定金具２２は、遊技盤係合金具２１と共に、遊技盤収納空部６内の遊技盤１３を固定する遊技盤固定手段として機能するものであり、図６に示すように、遊技盤収納空部６に収納された遊技盤１３の右側面に当接してこの遊技盤１３を左方向に押し付け可能な当接部２２ａと、この当接部２２ａを左右方向、即ち、押し出し方向と退避方向に移動させるための操作部２２ｂとを備えている。
【００１７】
上記したフレームボード１２は、図３に示すように、上面に遊技盤載置部１２ａを、右下部に発射装置取付部１２ｂをそれぞれ設け、前面には発射レール１２ｃを取り付けた合成樹脂製の部材である。そして、発射レール１２ｃの傾斜下端は遊技球の発射位置としてあり、この発射位置の遊技球を、発射装置取付部１２ｂに取り付けた発射装置（図示せず）によって弾発する。この弾発された遊技球は発射レール１２ｃに沿って移動し、遊技盤１３側へ飛入する。
【００１８】
次に、遊技盤１３について説明する。図４に示すように、遊技盤１３の表面には、ガイドレール等の区画部材２５を配設してあり、この区画部材２５により、ほぼ円形の遊技領域２６と、非遊技領域２７とを区画してある。さらに遊技領域２６は、遊技球が流下可能な球流下領域２６ａと弾発された遊技球を球流下領域２６ａへ案内する球案内領域２６ｂとに区画されている。そして、球流下領域２６ａ内には、画像表示装置２９、始動口３０、大入賞口（アタッカー）３１、多数の障害釘（一部のみ図示）３２…等を配設してあり、非遊技領域２７には、遊技盤前面構成部材３３，３４，３５を配設してある。
【００１９】
画像表示装置２９は、例えば、４インチ〜１０インチ程度のＬＣＤやＣＲＴ等によって構成してあり、その後部は遊技盤１３の裏面側に後方に向けて突出している。さらに、この画像表示装置２９に所望の画像を表示させるための表示制御装置（図示せず）を、画像表示装置２９の後部に取り付けてある。また、遊技盤１３の裏面には、大入賞口３１を開閉させるための駆動機構（例えば、ソレノイド等）も取り付けてある。従って、遊技盤１３の重量は、画像表示装置２９や大入賞口３１の駆動機構等の重みも加わって、重くなっている。
【００２０】
上記した遊技盤前面構成部材は、遊技盤１３を装飾するための部材であり、上部遊技盤前面構成部材３３、左下部遊技盤前面構成部材３４、及び、右下部遊技盤前面構成部材３５から構成してある。
【００２１】
上部遊技盤前面構成部材３３は、非遊技領域２７における上部に配設された樹脂製部材であり、正面から見て略アーチ状をしている。この上部遊技盤前面構成部材３３の左側縁部は、部分的に遊技盤１３の左側面まで延出してあり、この延出部分により上側係合受部３６を構成する。この上側係合受部３６は、上側に取り付けられた遊技盤係合金具２１に係合される部分であり、上方から見て頭部が左側に位置した略Ｔ字状に構成する（図５参照）。そして、この上側係合受部３６の左壁部（即ち、Ｔ字頭部）は前後方向に延出されているため、上側係合受部３６の前面には、係合片部２１ａの係合端部２１ｅと係合可能な窪部が形成される。また、上部遊技盤前面構成部材３３の右側縁部は部分的に遊技盤１３の右側面まで延出させてあり、この延出部分により、上側に取り付けられた遊技盤固定金具２２の当接部２２ａによって押圧される上側当接受部３７を構成する。
【００２２】
左下部遊技盤前面構成部材３４は、非遊技領域２７における左下部に配設された樹脂製部材であり、正面からみて略三角形状をしている。この左下部遊技盤前面構成部材３４の左側縁部もまた、部分的に遊技盤１３の左側面まで延出させてあり、下側係合受部３８を構成する。この下側係合受部３８は、下側の遊技盤係合金具２１に係合される部分であり、上側係合受部３６と同様な略Ｔ字状に構成してある。
【００２３】
右下部遊技盤前面構成部材３５は、非遊技領域２７における右下部に配設された樹脂製部材であり、正面から見て略三角形状をしている。この右下部遊技盤前面構成部材３５の右側縁部もまた、部分的に遊技盤１３の右側面まで延出させてあり、下側当接受部３９を構成してある。この下側当接受部３９は、下側の遊技盤固定金具２２の当接部２２ａによって押圧される部分である。
【００２４】
このような構成を有する遊技盤１３を遊技盤収納空部６に収納し固定するには、まず、遊技盤１３の左側部を後側に右側部を前側にして、遊技盤１３の左側部を遊技盤収納空部６内に挿入する。ここで、図５（ａ）に示すように、上側の遊技盤係合金具２１の係合端部２１ｅを上側係合受部３６の窪部内に前方から当接させ、下側の遊技盤係合金具２１の係合端部２１ｅを下側係合受部３８の窪部内に前方から当接させるようにする。
そして、係合金具２１，２１の係合端部２１ｅ，２１ｅと係合受部３６，３８との当接部分を回動中心にして遊技盤１３の右側部を後方側に押し付け、図５（ｂ）に示すように、遊技盤１３の背面を遊技盤収納フレーム１１の背面部１１ｃに当接させる。
【００２５】
このようにして遊技盤１３を遊技盤収納空部６内に収納したら、収納した遊技盤１３を固定する。この場合、遊技盤固定金具２２の操作部２２ｂを操作して当接部２２ａを左方向に移動させて、遊技盤１３の右側面に当接部２２ａを当接させると共に遊技盤１３の左側面に位置決め片部２１ｂを当接させ、当接部２２ａをさらに左方向へ押圧させて（押し出して）、位置決め片部２１ｂと当接部２２ａとで遊技盤１３を挟んだ状態で固定する。
この固定状態では、遊技盤１３の左側面と位置決め片部２１ｂとが当接しているので、遊技盤１３は左右方向の位置が定められた状態で固定される。また、遊技盤１３の左側部は、遊技盤係合金具２１の係合片部２１ａの弾性により、後方側へ押し付けられるので、遊技盤１３は遊技盤収納フレーム１１の背面部１１ｃに接した状態を維持され、前後方向の位置も定められる。
【００２６】
次に、前面カバー部材３について説明する。この前面カバー部材３は、透明な前面ガラス１５（透明部材の一種）を保持した額縁状の部材である。この前面カバー部材３は、図２に示すように、樹脂カバー４１と金属製のガラス枠４２（本願発明における透明部材保持枠に相当）とから構成してある。
【００２７】
樹脂カバー４１は、遊技領域２６と同程度の大きな開口部を開設した枠体である。この樹脂カバー部材４１の裏面の左側縁上部及び下部には支軸８，８（図１参照）を１個ずつ取り付けてある。換言すれば、前面カバー部材３と前面枠２との軸着部分を、遊技盤係合金具２１の取り付け側に設けている。そして、前面カバー部材３は、この樹脂カバー４１の左側縁部の軸着部分を中心にして水平方向に回動して開閉される。
【００２８】
ガラス枠４２は、樹脂カバー４１の開口部よりも一回り大きい方形状の金属枠であり、樹脂カバー４１の裏面に樹脂カバー４１の開口部を囲うようにして取り付けてある。本実施形態のガラス枠４２は、図６に示すように、厚さ１ｍｍ程度のステンレス鋼板を断面視略Ｗ字状に屈曲させた枠体であり、前後に少し離隔して形成された２本のガラス保持溝４２ａ，４２ａを有する。そして、ガラス保持溝４２ａのそれぞれに前面ガラス１５を保持させている。なお、この図６及び後述する図７では、分かり易くするため、前面カバー部材３の一部を構成する樹脂カバー４１については図示を省略してある。
【００２９】
このような前面カバー部材３に関し、前面カバー部材３を閉じた閉止状態では、前面ガラス１５が遊技盤１３の遊技領域２６を前方から覆い、樹脂カバー４１の開口部を通じて、遊技者側から遊技領域２６を視認できる。
また、前面カバー部材３を開いた開放状態にあっては、遊技盤１３の前方には遊技盤係合金具２１の係合片部２１ａが、遊技盤左側部に存在するのみとなる。従って、この開放状態では、当接したり引っ掛かったりするような部材が遊技盤前面側に存在しないため、遊技盤１３の交換を前面枠２の前面側から行うことができる。
【００３０】
そして、ガラス枠４２の背面には、本願発明における補助係合部として機能する当接突部４３を遊技機後方に向けて突設してある。本実施形態の当接突部４３は、図６に示すように、ガラス枠４２の左側縁部、即ち、前面カバー部材３の軸着部分側の一部を後方に延出させることにより、ガラス枠４２と一体に設けた板状突片によって構成してある。
【００３１】
この当接突部４３は、前面カバー部材３の閉止状態で、先端が係合片部２１ａの係合腕部２１ｄの直前に位置して、前面カバー部材３の開放状態で、先端が係合腕部２１ｄの直前から大きく後退して係合腕部２１ｄの直前を開放するように設けてある。そして、パチンコ遊技機１が前方に傾倒されるなどにより、遊技盤１３等の重量が係合片部２１ａに加わって係合腕部２１ｄが前方に撓んだ際に、弾性限界に達する前に係合腕部２１ｄに当接し、係合腕部２１ｄをそれ以上撓ませないように前方向への撓みを規制する。換言すれば、この当接突部４３は、係合腕部２１ｄ（係合片部２１ａの一部）の弾性限界位置の手前で係合腕部２１ｄに当接して、弾性限界を越えた前方への係合腕部２１ｄの撓みを防止している。
【００３２】
この当接突部４３をガラス枠４２に設けたのは、次の理由による。
第１の理由は、遊技盤１３の交換時に当接突部４３が障害となり難いからである。即ち、本実施形態のガラス枠４２は、前面カバー部材３の一部を構成しているため、前面カバー部材３の開放状態では、ガラス枠４２に一体に設けた当接突部４３も移動して、遊技盤１３の前面から完全に離れた状態になる。このため、遊技盤１３の交換時において、前面カバー部材３を開放すると当接突部４３も遊技盤前面から大きく離隔し、遊技盤交換作業の障害にならない。
【００３３】
第２の理由は、ガラス枠４２の剛性が高いからである。即ち、ガラス枠４２は、前面ガラス１５等の透明部材を保持するものであるから、透明部材を撓ませたり破損させることがないように高い剛性を備えている。従って、高い剛性を備えたガラス枠４２に当接突部４３を設けると、遊技盤１３の重みにも耐えることができる。
【００３４】
また、本実施形態では、当接突部４３をガラス枠４２における軸着側（支軸８，８に近い方の側縁部）に設けている。これは、大きな力が当接突部４３に作用した際におけるガラス枠４２（前面カバー部材３）のがたつきを少なくするためである。このように構成すると、前面カバー部材３の回動支点から当接突部４３までの距離が短いので、当接突部４３が大きな力を受けても、この力を支軸８で受け止め易く、前面カバー部材３のがたつきを少なくすることができる。
【００３５】
さらに、本実施形態では、当接突部４３の先端（本願発明における当接部に相当）から係合腕部２１ｄまでの間に、１ｍｍ〜２ｍｍ程度のクリアランスを設けてある。このクリアランスにより、取り付けがた（バックラッシュ）の範囲で前面カバー部材３が前後方向に動いたとしても、当接突部４３と係合片部２１ａとの接触を防止し、前面カバー部材３（ガラス枠４２）からの振動が遊技盤１３に直接伝わらないようにできると共に、当接突部４３と係合片部２１ａとの衝突に起因する雑音を防止することができる。
【００３６】
次に、この当接突部４３の作用について説明する。
パチンコ遊技機１が通常状態、例えば、垂直に起立している状態のときには、図７（ａ）に示すように、遊技盤係合金具２１及び遊技盤固定金具２２により、遊技盤収納フレーム１１の背面部１１ｃに背面が押し付けられた状態で遊技盤１３は固定されている。そして、この通常状態では、当接突部４３の先端は、上記したように遊技盤係合金具２１における係合腕部２１ｄの直前に位置している。
【００３７】
パチンコ遊技機１の運搬時や設置時等においてパチンコ遊技機１の上部を遊技機前方に傾倒してしまうと、遊技盤１３の重みが遊技盤係合金具２１の係合片部２１ａに加わることがある。この加わった重みが過度であると、即ち、係合片部２１ａの弾性力よりも大きなものであると、この重みを支えきれずに係合片部２１ａの係合腕部２１ｄが前方に撓み、遊技盤１３が前方に移動する。
そして、この係合腕部２１ｄが弾性限界位置の近傍まで撓むと、換言すれば、係合腕部２１ｄが弾性限界に達するよりも前に、図７（ｂ）に示すように、係合腕部２１ｄは、当接突部４３の先端に当接する。この当接突部４３との当接により、弾性限界を越えた係合腕部２１ｄの前方への撓みが規制される。
【００３８】
このように、係合腕部２１ｄの前方への撓みを当接突部４３により規制するようにしたので、係合片部２１ａの塑性変形を防止することができる。このため、通常状態にあっては、遊技盤収納空部６に収納された遊技盤１３を、係合片部２１ａの弾性力によって遊技機後方に押し付けることができ、重い遊技盤１３であっても確実に固定することができる。
そして、フレームボード１２と遊技盤１３との相対位置も所定の位置関係に維持できるので、発射された遊技球を確実且つ円滑に遊技盤１３（遊技領域２６）側に誘導させることができる。即ち、発射レール１２ｃから離れた遊技球を、遊技盤１３の球案内領域２６ｂに確実に誘導することができる。また、遊技盤１３に植設された障害釘３２の先端と前面ガラス１５との隙間が少なくなる不具合もなくせ、球詰まり等の不具合を確実に防止することができる。
【００３９】
なお、上記した実施形態では、ガラス枠４２の一部を後方に延出させた板状突片によって構成した当接突部４３を、本願発明における補助係合部として例示したが、この補助係合部は、この板状突片に限定されるものではない。
例えば、金属製の柱状部材や筒状部材をガラス枠４２の背面に溶接して設けた当接突部４３でもよい。このように柱状部材や筒状部材によって当接突部４３を構成すると、当接突部４３の剛性を高めることができるし、係合片部２１ａとの当接面積を増やすことも容易である。
【００４０】
また、遊技盤収納空部６に遊技盤１３を無理矢理収納する等して、万一、係合片部２１ａを遊技機前方側に変形させてしまったとしても、当接突部４３と係合片部２１ａとが当接するので、前面カバー部材３を強く押し込むことによって係合片部２１ａを遊技機後方側に戻すこともできる。
【００４１】
また、例示した係合片部２１ａは、係合腕部２１ｄと係合端部２１ｅとからなる略Ｌ字状の金属片により構成したものであるが、係合片部２１ａもこの構成に限定されない。例えば、遊技盤収納フレーム１１の左側壁部１１ａの前端部から延出され、遊技盤１３の前面側に向かって円弧状に湾曲させた可撓性を有する金属片によって構成しても良い。
【００４２】
また、上記した実施形態は、樹脂カバー４１とガラス枠４２とからなる前面カバー部材３を前面枠２に開閉可能に取り付けたものを例示したが、ガラス枠４２を直接前面枠２に取り付けた遊技機にも本発明を適用することができる。
【００４３】
また、以上の説明は、代表的な遊技機であるパチンコ遊技機１を例に挙げて説明したが、アレンジボール遊技機や雀球遊技機等の他の遊技機にも本発明を適用することができる。
【００４４】
【発明の効果】
以上説明したように、本発明によれば次の効果を奏する。
すなわち、前記補助係合部は、前記前面カバー部材の閉止状態で前記係合片部の係合腕部に向けて突出し、その突出先端を、前記係合腕部が前方に撓んだ際に該係合腕部に当接して係合腕部の撓みを規制可能な位置に配置したので、遊技機を前方に傾倒して遊技盤の重みが係合片部に加わり、係合片部が前方に撓んだとしても、補助係合部が係合片部に当接して、その当接位置よりも前方へ係合片部が撓むことを防止する。
このため、重量が重い遊技盤を取り付けた遊技機であっても係合片部が塑性変形し難くなり、遊技盤の過剰ながたつきを防止でき、遊技盤を所定の位置に固定することができる。
従って、発射された遊技球を確実且つ円滑に遊技盤上に誘導させることができると共に、遊技盤の前後方向のがたつきに起因する球詰まり等の不具合を防止することができる。
【図面の簡単な説明】
【図１】パチンコ遊技機の正面図である。
【図２】前面枠と前面カバー部材と開閉パネルを開いた状態におけるパチンコ機本体の斜視図である。
【図３】遊技盤収納空部を説明する分解斜視図である。
【図４】遊技盤の正面図である。
【図５】遊技盤の収納手順を説明する図であり、（ａ）は遊技盤の左側部を遊技盤収納空部内に挿入した状態を、（ｂ）は遊技盤を遊技盤収納空部に収納した状態をそれぞれ示す。
【図６】遊技盤を収納し、前面カバー部材を閉止した状態を説明する断面図である。
【図７】当接突部の機能を説明する図であり、（ａ）は通常状態を、（ｂ）はパチンコ遊技機を前方に傾倒する等して係合片部が前方に撓み、係合片部と当接突部とが当接した状態をそれぞれ示す。
【符号の説明】
１  パチンコ遊技機
２  前面枠
３  前面カバー部材
４  開閉パネル
５  パチンコ機本体
６  遊技盤収納部
７  カードユニット
８  支軸
１０  機枠
１１  遊技盤収納フレーム
１２  フレームボード
１３  遊技盤
１４  裏機構盤
１５  前面ガラス
１６  上皿
１７  下皿
１８  灰皿
１９  発射操作部
２１  遊技盤係合金具
２１ａ  係合片部
２１ｂ  位置決め片部
２１ｃ  ベース部
２１ｄ  係合腕部
２１ｅ  係合端部
２１ｆ  位置決め片部の右縁部（当接縁）
２２  遊技盤固定金具
２５  区画部材
２６  遊技領域
２７  非遊技領域
２９  画像表示装置
３０  始動口
３１  大入賞口
３２  障害釘
３３  上部遊技盤前面構成部材
３４  左下部遊技盤前面構成部材
３５  右下部遊技盤前面構成部材
３６  上側係合受部
３７  上側当接受部
３８  下側係合受部
３９  下側当接受部
４１  樹脂カバー
４２  ガラス枠
４３  当接突部
【図１】
0003976908.tif 000002
【図２】
0003976908.tif 000003
【図３】
0003976908.tif 000004
【図４】
0003976908.tif 000005
【図５】
0003976908.tif 000006
【図６】
0003976908.tif 000007
【図７】
0003976908.tif 000008